(57)【特許請求の範囲】
【請求項１】
第一の回路基板を収納する第一の筐体と、
第二の回路基板を収納する第二の筐体と、
前記第一の筐体と前記第二の筐体とを回動自在に連結するヒンジ部と、
前記第一の回路基板と前記第二の回路基板とを前記ヒンジ部を介して電気的に接続するフレキシブルケーブルと、
前記第一の回路基板及び前記第二の回路基板の何れか一方に接続され、かつ、前記ヒンジ部の近傍に配置されたアンテナ素子と、を備え、
前記フレキシブルケーブルの長さが、前記第一の筐体の前記第一の回路基板を流れる電流と前記第二の筐体の前記第二の回路基板を流れる電流の位相が同相になるように調整されている折畳み式携帯無線機において、
前記第一の筐体および前記第二の筐体の両方が非導電性材料で構成されており、前記第一の回路基板および前記第二の回路基板のそれぞれにグランド板が電気的に接続され、前記第一の回路基板に電気接続されたグランド板と前記第二の回路基板に電気接続されたグランド板とが、前記第一の筐体と前記第二の筐体とを折畳んだ時に接触する構造となっていることを特徴とする折畳み式携帯無線機。
【請求項２】
第一の回路基板を収納する第一の筐体と、
第二の回路基板を収納する第二の筐体と、
前記第一の筐体と前記第二の筐体とを回動自在に連結するヒンジ部と、
前記第一の回路基板と前記第二の回路基板とを前記ヒンジ部を介して電気的に接続するフレキシブルケーブルと、
前記第一の回路基板及び前記第二の回路基板の何れか一方に接続され、かつ、前記ヒンジ部の近傍に配置されたアンテナ素子と、を備え、
前記フレキシブルケーブルの長さが、前記第一の筐体の前記第一の回路基板を流れる電流と前記第二の筐体の前記第二の回路基板を流れる電流の位相が同相になるように調整されている折畳み式携帯無線機において、
前記第一の筐体および前記第二の筐体のいずれか一方が非導電性材料で構成され他方が導電性材料を含んで構成されており、
前記非導電性材料で構成された側の筐体に収納された回路基板にグランド板が電気的に接続され、前記導電性材料を含んで構成された側の筐体に当該筐体に収納された回路基板が接地されており、
前記グランド板と、前記導電性材料を含んで構成された側の筐体とが、前記第一の筐体と前記第二の筐体とを折畳んだ時に接触する構造となっていることを特徴とする折畳み式携帯無線機。
【請求項３】
前記グランド板が、非導電性材料で構成された側の筐体の表面に形成された導電性の膜で構成されている請求項１または２に記載の折畳み式携帯無線機。
【請求項４】
前記第一の筐体と前記第二の筐体とは展開状態において相互間に高周波電流が流れないように相互に絶縁された状態にあることを特徴とする請求項１から３のいずれかに記載の折畳み式携帯無線機。
【請求項５】
前記フレキシブルケーブルは少なくとも一回巻かれたものである請求項１から４のいずれかに記載の折畳み式携帯無線機。
【請求項６】
前記フレキシブルケーブルは前記ヒンジ部の長さ方向の軸線を中心として前記ヒンジ部の長さ方向にスパイラル状に配置されている請求項５に記載の折畳み式携帯無線機。
【発明の詳細な説明】
【技術分野】
【０００１】
本発明は、折畳み式携帯無線機に関し、特に、折畳み式携帯無線機に用いられるアンテナ効率を向上させるための筐体構造に関する。
【背景技術】
【０００２】
折畳み式携帯電話機のような携帯無線機は、上部筐体と下部筐体をヒンジ部で互いに回動可能に連結して、開閉自在なものである。この折畳み式携帯電話機は、上部筐体に大型の表示画面を備えることができ、開いて使用するときに便利である。さらに、閉じた状態ではコンパクトな形状になるという利点がある。
【０００３】
また、折畳み式携帯電話機には、図４Ａ及び図４Ｂに示すように、上部筐体１に収納されている回路基板４と下部筐体２に収納されている回路基板５とが、ヒンジ部３を通したフレキシブルケーブル６のみにより電気的に接続されたものがある。そして、上部筐体１または下部筐体２の何れかの回路基板に内蔵アンテナとしてのアンテナ素子７が接続されている。このアンテナ素子は、筐体内部における各回路部品の配置の自由度を増やす目的で、筐体内のヒンジ部付近に配置される。しかし、このような構造では、開状態において上部筐体の内部を流れる電流と下部筐体の内部を流れる電流の位相が逆相（電流が流れる向きが逆）となり、双方の電流の合流地点付近に実装されているアンテナ素子の特性が劣化してしまう問題があった。
【０００４】
そこで、特許文献１に開示された発明では、開いた時（展開時）に良好なアンテナ特性が得られるように、上部筐体内の回路基板と下部筐体内の回路基板とを接続するフレキシブルケーブルの長さを特定の長さにしている。具体的には、フレキシブルケーブルの長さを、上部筐体の回路基板を流れる電流と下部筐体の回路基板を流れる電流の位相が同相（電流が流れる向きが同じ）になるように調整している。
【特許文献１】特開２００３−８３２０号公報
【発明の開示】
【発明が解決しようとする課題】
【０００５】
特許文献１に開示された携帯電話機は、図４Ａに示すように開いた状態（展開状態）では各々の筐体の回路基板を流れる電流Ｐ，Ｑが同相になっている。しかし、図４Ｂに示すように閉じた時（折畳み時）には、上部筐体１の回路基板４を流れる電流Ｐと下部筐体２の回路基板５を流れる電流Ｑが互いに逆向きになり、打ち消しあうこととなる。このため、開いた状態から閉じた状態にすると、アンテナの放射効率が低下するという問題がある。
【０００６】
そこで、本発明は、上下筐体の折畳み時に生じる前述の問題点に鑑みてなされたものであり、上下筐体の展開時と折畳み時ともに、上部筐体及び下部筐体の内部をそれぞれ流れる電流によって内蔵アンテナの特性が悪影響を受けることのない携帯電話機のような折畳み式携帯無線機を提供することを目的とする。
【課題を解決するための手段】
【０００７】
上記目的を達成するための、本発明は、第一の回路基板を収納する第一の筐体と、第二の回路基板を収納する第二の筐体と、第一の筐体と第二の筐体とを回動自在に連結するヒンジ部と、第一の回路基板と第二の回路基板とをヒンジ部を介して電気的に接続するフレキシブルケーブルと、第一の回路基板及び第二の回路基板の何れか一方に接続され、かつ、ヒンジ部の近傍に配置されたアンテナ素子と、を備えた折畳み式携帯無線機である。そして、フレキシブルケーブルの長さが、第一の筐体の第一の回路基板を流れる電流と第二の筐体の第二の回路基板を流れる電流の位相が同相になるように調整されている。このため、開いた状態（展開状態）では各々の筐体内部を流れる電流が同じ向きに流れ、相互に打ち消し合うことはないので、内蔵されたアンテナ素子の特性が低下しない。
【０００８】
さらに、この無線機は、第一の筐体と第二の筐体の両方が非導電性材料で構成されている。第一の回路基板および第二の回路基板のそれぞれにグランド板が電気的に接続される。そして、第一の回路基板に電気接続されたグランド板と第二の回路基板に電気接続されたグランド板とが、第一の筐体と第二の筐体とを折畳んだ時に接触する構造となっている。
【０００９】
あるいは、別の態様として、第一の筐体および第二の筐体のいずれか一方が非導電性材料で構成され他方が導電性材料を含んで構成されている。非導電性材料で構成された側の筐体に収納された回路基板にグランド板が電気的に接続される。導電性材料を含んで構成された側の筐体に当該筐体に収納された回路基板が接地される。そして、グランド板と、導電性材料を含んで構成された側の筐体とが、第一の筐体と第二の筐体とを折畳んだ時に接触する構造となっている。この構造では、導電性材料を含んで構成された側の筐体内にグランド板が不要となる。
【００１０】
以上のような構成によると、展開状態から折畳んだ時には、第一の筐体内の第一の回路基板と第二の筐体内の第二の回路基板との両方のグランドが共通になり、両方の回路基板を電気的に一枚の金属板のようにみせることができる。この結果、各々の筐体の回路基板を流れる電流が同相となる。したがって、折畳んだ状態になっても良好なアンテナ特性を維持できる。
【００１１】
また、上記のようなグランド板は、非導電性材料で構成された側の筐体の表面に形成された導電性の膜で構成されていてもよい。金属などの導電性材料からなるグランド板を代用することができる。
【００１２】
また、第一の筐体と前記第二の筐体とは展開状態において相互間に高周波電流が流れないように相互に絶縁された状態にある。この構成によれば、第一の筐体内の第一の回路基板と第二の筐体内の第二の回路基板とが、展開状態においてはフレキシブルケーブルのみを介して相互に接続された状態にできる。
【発明の効果】
【００１３】
本発明によれば、上下筐体の展開時と折畳み時ともに、上部筐体における回路基板電流と下部筐体における回路基板電流の位相が同相になり、アンテナの放射効率を向上させることが可能である。
【発明を実施するための最良の形態】
【００１４】
以下、本発明の実施形態について図面を参照して説明する。
【００１５】
図１は本発明の実施形態による折畳み式携帯無線機の折畳んだ状態の概略図である。図２Ａは図１の点線Ａで切断した断面であり、展開した状態の模式図、図２Ｂは図１の点線Ａで切断した断面の模式図である。
【００１６】
本実施形態の折畳み式携帯無線機は、図１に示すように、第一の筐体としての上部筐体１と、第二の筐体としての下部筐体２と、上部筐体１と下部筐体２とを相互に回転自在に連結しているヒンジ部３とを備えている。本形態では上部筐体１と下部筐体２はいずれも、非導電材料で構成されている。例えば、上部筐体１及び下部筐体２の双方を、モールドで形成された非導電性物質からなるものとする。
【００１７】
上部筐体１の内部には、第一の基板としての回路基板４が収納されている。下部筐体２の内部には、第二の基板としての回路基板５が収納されている。回路基板４と回路基板５とは、ヒンジ部３の内部を通ったフレキシブルケーブル６により電気的に接続されている。なお、上部筐体１と下部筐体２とは展開状態において相互間に電流（特に高周波電流）が流れないように相互に絶縁された状態にあり、回路基板４と回路基板５とはフレキシブルケーブル６のみを介して相互に接続されている。
【００１８】
回路基板５のヒンジ部３寄りに、アンテナ素子７が接続されている。なお、アンテナ素子７は、図２Ａとは異なり、回路基板４のヒンジ部３寄りに配置されていても良い。
【００１９】
アンテナ素子７として用いられる形状としては、例えば、板金で構成された逆Ｆアンテナまたは逆Ｌアンテナ、あるいは、ワイヤより構成されたヘリカルアンテナなど、種々の形状が考えられる。
【００２０】
フレキシブルケーブル６は、ヒンジ部３の周囲に少なくとも一回巻かれた状態で配置されている。フレキシブルケーブル６の巻き数を２以上とする場合は、フレキシブルケーブル６はヒンジ部３の長さ方向の軸線を中心としてヒンジ部３の長さ方向にスパイラル状に配置する。このフレキシブルケーブル６を平面状に伸ばしたときの長さは、上部筐体１内の回路基板４を流れる電流の位相と下部筐体２内の回路基板５を流れる電流の位相とが同相（電流の流れる向きが同じ）になるように設定されている。
【００２１】
また、上部筐体１および下部筐体２のそれぞれに、金属などの導電性材料でつくられたグランド板８，９が配設されている。グランド板８，９は、上部筐体１と下部筐体２の、折畳み時に接触する２つの面にそれぞれ沿って配置される。グランド板８と回路基板４、グランド板９と回路基板５は、それぞれ電気的に接続されている。そして、グランド板８とグランド板９は、上部筐体１と下部筐体２を折畳んだ時に接触するようになっている。図２Ａ及び図２Ｂでは、上部筐体１における下部筐体２との接触面にグランド板８を配置し、下部筐体２における上部筐体１との接触面にグランド板９を配置している。しかし、図のようにグランド板を配置することが設計において困難である場合は、グランド板８とグランド板９はそれぞれ上部筐体１と下部筐体２の内部に配置される。そして、各々のグランド板８，９の一部が各筐体１，２の内部から表面に電気的に導出され、上部筐体１と下部筐体２を折畳んだ時に接触するように配置される。
【００２２】
なお、本実施形態の携帯無線機が携帯電話である場合は、上部筐体１には、レシーバ、ディスプレイなどが備えられている。下部筐体２には、マイク、バッテリ、および、複数のデータ入力用ボタンまたはキーを含むキー操作部などが備えられている。
【００２３】
本実施形態の折畳み式携帯無線機によれば、図２Ａに示すように開いた状態（展開状態）では各々の筐体１，２の回路基板４，５を流れる電流が同相になっている。すなわち、回路基板４に流れる電流は矢印Ｐ方向（ヒンジ部３から離れる方向）に、回路基板５に流れる電流は矢印Ｑ方向（ヒンジ部３に向かう方向）にそれぞれ流れる。これは、フレキシブルケーブル６が、上部筐体１内の回路基板４を流れる電流と下部筐体２内の回路基板５を流れる電流の位相が同相になるような長さに設定されているためである。
【００２４】
そして、図２Ｂに示すように閉じた時（折畳んだ時）には、グランド板８とグランド板９が接触する。これにより、回路基板４と回路基板５とグランド板８とグランド板９を電気的に一枚の金属板のようにみせることができる。この結果、各々の筐体１，２の回路基板４，５を流れる電流が同相になる。すなわち、回路基板４に流れる電流は矢印Ｓ方向（ヒンジ部３に向かう方向）に、回路基板５に流れる電流は矢印Ｑ方向（ヒンジ部３に向かう方向）にそれぞれ流れる。
【００２５】
このように展開状態から折畳み状態にしても、上部筐体１及び下部筐体２の内部を流れる２つの電流が相互に打ち消し合うことはないので、アンテナの放射効率が低下しない。つまり、展開時および折畳み時ともに良好なアンテナ特性を維持できる。
【００２６】
次に、他の実施形態について述べる。
【００２７】
上述した実施形態は、図２Ｂに示したように２枚のグランド板８，９が上部筐体１と下部筐体２を折畳んだ時に接触する構造である。
【００２８】
２枚のグランド板８，９は同じ大きさである必要はなく、接触点を有すればグランド板８，９の位置関係および形状は自由である。グランド板８，９の設計例を図３に示す。
【００２９】
図３（ａ）に示すように２枚のグランド板８，９が同じ大きさで、折畳み時に両者の位置が合うようにしたり、図３（ｂ）のように互いの位置がずれたりしても良い。また、図３（ｃ）（ｄ）に示すように各々のグランド板８，９の大きさが異なっていても良い。さらに、図３（ｅ）に示すようにグランド板８，９に穴が開いていても良い。この穴はＬＣＤユニットのための窓として使用できる。さらに、図示しないが、キー操作を行なえるようにグランド板にドーム形状を有していても良い。勿論、グランド板８，９は四角形である必要はなく、任意の形状をとることができる。
【００３０】
また、上述した実施形態では、上部筐体１と下部筐体２を折畳んだ時にグランド板８，９が接触する構造をとっているが、折畳み時に２枚のグランド板８，９を接触させず、容量結合させることでも本発明の効果を得ることができる。
【００３１】
この場合、容量結合を十分得るためにグランド板８，９は回路基板４，５と同程度の大きさであることが望ましく、折畳み時の２枚のグランド板の距離は近いほど効果を得られる。
【００３２】
また、上述した実施形態において、上部筐体１と下部筐体２に用いられる材料はどちらか一方は導電性材料でも可能である。この場合、導電性材料で構成された筐体内のグランド板は不要となる。つまり、導電性材料を含んで構成された筐体に、この筐体内に収納されている回路基板のグランドを接続しておき、導電性材料の筐体と非導電材料の筐体とを折畳むと、非導電材料の筐体内のグランド板と導電性材料の筐体とが接触または近接する構造であってもよい。
【００３３】
また、上述した実施形態において、グランド板８，９の代わりに、非導電材料で構成された上部筐体１及び／又は下部筐体２の表面に、蒸着やメッキや塗装などにより、導電性物質からなる膜が形成されたものでもよい。この場合は、表面に導電性の膜が形成された非導電材料の筐体内にはグランド板は不要となる。
【００３４】
また、上述した実施形態において、グランド板８及び９は金属などの導電性部材に限られず、非導電材料に導電性塗料を塗ることでも代用できる。
【図面の簡単な説明】
【００３５】
【図１】本発明の実施形態による折畳み式携帯無線機の折畳み状態の概略図である。
【図２Ａ】図１の折畳み式携帯無線機を展開した状態を示す模式図である。
【図２Ｂ】図１の点線Ａで切断した断面の模式図である。
【図３】本発明の折畳み式携帯無線機に使用するグランド板の構成例を示す図である。
【図４Ａ】従来の折畳み式携帯無線機を展開した状態を示す模式図である。
【図４Ｂ】従来の折畳み式携帯電話機を折畳んだ状態を示す模式図である。
【符号の説明】
【００３６】
１    上部筐体
２    下部筐体
３    ヒンジ部
４，５    回路基板
６    フレキシブルケーブル
７    アンテナ素子
８、９    グランド板（地板）
【図１】
0004692750.tif 000002
【図２Ａ】
0004692750.tif 000003
【図２Ｂ】
0004692750.tif 000004
【図３】
0004692750.tif 000005
【図４Ａ】
0004692750.tif 000006
【図４Ｂ】
0004692750.tif 000007